(57)【特許請求の範囲】
【請求項１】
ボビンレスのコイル（１）にコア（２）を組込んでなる組立体にほぼ矩形をなす取付金具（４）を取付けてリアクター本体を構成し、この取付金具（４）の一辺（４ｂ）には折曲可能な固定爪（４ｄ）を有する絶縁カバー取付部（４ｃ）が形成され、この絶縁カバー取付部（４ｃ）に絶縁カバー（５）の取付板（５ａ）を載置し、前記固定爪（４ｄ）を折曲して固定し、かつ絶縁カバー（５）の上方部には前記コイル（１）と隙間ｇを介して設けられた絶縁カバー本体（５ｅ）が形成され、この絶縁カバー本体（５ｅ）には２つの分離した筒状のリード線収納部（５ｆ）が形成され、一方のリード線収納部（５ｆ）に前記コイル（１）の巻始めの引出線（１ａ）と一方のリード線（６）との接続部を挿通・収納し、他方のリード線収納部（５ｆ）には巻終わりの引出線（１ｂ）と他方のリード線（６）との接続部を挿通・収納したことを特徴とするリアクター。
【請求項２】
リアクター本体含浸後に配線を行う請求項１記載のリアクター。
【発明の詳細な説明】
【０００１】
【発明の属する技術分野】
この発明は、民生用の電子機器に用いられるボビンレスタイプのリアクターであって、コイルの引出線とリード線との接続処理を絶縁カバーを用いて行うようにしたリアクターに関する。
【０００２】
【従来の技術】
この種のリアクターは、ボビンレスコイルにコアが組込まれ、かつコイルの引出線にリード線が接続されるなどして構成されている。
【０００３】
【発明が解決しようとする課題】
この場合、コイルがコイルボビンに巻回されるタイプのものであれば、コイルの引出線はコイルボビンのフランジに植設された端子に絡げ付けて処理されるが、ボビンレスタイプのものにおいては、絡げ付ける端子がないため、引出線とリード線との接続のしやすさ、接続部の絶縁性の確保などについて工夫が必要であった。
【０００４】
この発明は上記のことに鑑み提案されたもので、その目的とするところは、ボビンレスタイプのものにおいて、簡単に絶縁カバーを取付けることができ、コイルの引出線の処理の作業性、絶縁性を図り得るとともに、絶縁カバーは安価な材料で形成できるリアクターを提供することにある。
【０００５】
【課題を解決するための手段】
ボビンレスのコイル１にコア２を組込んでなる組立体にほぼ矩形をなす取付金具４を取付けてリアクター本体を構成し、この取付金具４の一辺４ｂには折曲可能な固定爪４ｄを有する絶縁カバー取付部４ｃが形成され、この絶縁カバー取付部４ｃに絶縁カバー５の取付板５ａを載置し、前記固定爪４ｄを折曲して固定し、かつ絶縁カバー５の上方部には前記コイル１と隙間ｇを介して設けられた絶縁カバー本体５ｅが形成され、この絶縁カバー本体５ｅには２つの分離した筒状のリード線収納部５ｆが形成され、一方のリード線収納部５ｆに前記コイル１の巻始めの引出線１ａと一方のリード線６との接続部を挿通・収納し、他方のリード線収納部５ｆには巻終わりの引出線１ｂと他方のリード線６との接続部を挿通・収納した構成とし、上記目的を達成している。
【０００６】
また、リアクター本体含浸後に配線を行うようにしている。
【０００７】
【発明の実施の形態】
この発明では、ボビンレスタイプのリアクターの取付金具に絶縁カバーを簡単に取付け、この絶縁カバーによって引出線とリード線との接続部をコイルと若干離れた位置に収納・保持するようにし、絶縁カバーは安価な材料でも良いようにしている。
【０００８】
【実施例】
図１は本発明の一実施例の斜視図、図２（ａ）は平面図、（ｂ）は正面図、（ｃ）は右側面図、図３（ａ）は本発明に用いられる取付金具の平面図、（ｂ）は正面図、（ｃ）は取付金具に設けられた固定爪の説明図、図４（ａ）は本発明に用いられる絶縁カバーの平面図、（ｂ）は正面図、（ｃ）は絶縁カバーの取付板の底面図、（ｄ）は右側面図、（ｅ）は（ｂ）図中Ｂ−Ｂ線断面図、（ｆ）は同Ｃ−Ｃ線断面図を示す。
【０００９】
まず、図１および図２（ａ）〜（ｃ）を参照しつつ本発明の一実施例にかかるリアクターの基本構成について説明する。
【００１０】
図中、１は巻回されたボビンレスのコイルであり、その中央の中空部にコア２の中央脚が挿通され、コイル１とコア２との組立体が構成される。コア２は例えばＥ型コア２ａと、このコア２ａの端面に接合されたＩ型コア２ｂにて構成されている。なお、コイル１には角筒状の絶縁紙３が設けられている。
【００１１】
４は組立体の下部に設けられた取付孔４ａを有する取付金具であり、これによってリアクター本体が構成される。この取付金具４は溶接によりコア２の下部と一体化される。また、この取付金具４の一辺４ｂには外側に向って突出した絶縁カバー取付部４ｃが形成されている。この絶縁カバー取付部４ｃの両側部には短冊状の折曲可能な固定爪４ｄが形成されている。固定爪４ｄは絶縁カバー取付部４ｃの両側部にそれぞれ形成されている。
【００１２】
５は樹脂を成形してなる絶縁カバーであり、絶縁カバー取付部４ｃにその底部の取付板５ａが載置され、固定爪４ｄを折曲することにより取付け、固定される。
【００１３】
この絶縁カバー５の支柱５ｃの外面中央部には縦方向に補強用のリブ５ｄが形成されている。また、支柱５ｃの上方部には絶縁カバー本体５ｅが形成されている。絶縁カバー本体５ｅには縦方向、つまり上下の高さ方向に両端が開口した筒状のリード線収納部５ｆがそれぞれ形成されている。
【００１４】
上方のリード線収納部５ｆ内にはコイル１の巻始めの引出線１ａと一方のリード線６との各心線同士を撚り合わせた接続部が接続後、挿入して収納される。また、下方のリード線収納部５ｆ内には他方のリード線６とコイル１の巻終わりの引出線１ｂとの接続部が収納される。各リード線６の他端には周知構造のコネクター７が接続される。
【００１５】
絶縁カバー本体５ｅの内面とコイル１の対向する外表面との間には２〜３ｍｍ程度の隙間ｇが形成されるように取付金具４の絶縁カバー取付部４ｃに絶縁カバー５が取付けられる。コイル１と絶縁カバー５との隙間ｇが極く僅かであったり、あるいは接触する構造であると、使用時にコイル１に発生する熱対策として商品名ノーメック等のような耐熱性の高い材質にて絶縁カバー５を成形する必要がある。しかしながら、この発明のようにコイル１と絶縁カバー５との間に隙間ｇを設ければ、絶縁カバー５はコイル１に触れないため、耐熱性について特別な配慮の必要がなく、例えば商品名ＦＲペット等の安価な材料を用いることができる。
【００１６】
次に取付金具４の更に細かな構成について図３（ａ）〜（ｃ）を参照しつつ説明する。
【００１７】
取付金具４はほぼ矩形をなし、かつ鉄板の如き材質からなり、四隅に円形の取付孔４ａが形成されている。
【００１８】
また、一辺４ｂに形成された絶縁カバー取付部４ｃは、図３（ａ）、（ｂ）に示すように，中央部よりやや左側の位置に設けられている。
【００１９】
固定爪４ｄは絶縁カバー取付部４ｃの両側部に上方に向って立設されている。そして、この固定爪４ｄには、図３（ｃ）に示すように、折曲しやすいようにその両側の下方位置に切欠き４ｄ′が形成されている。
【００２０】
次に絶縁カバー５の詳細について図４（ａ）〜（ｆ）を参照しつつ説明する。
【００２１】
絶縁カバー本体５ｅには２つの筒状のリード線収納部５ｆが上下に形成され、その内部に図１、図２（ａ）〜（ｃ）に示したように、巻始め、巻終わりの引出線１ａ、１ｂと各リード線６との接続部が挿通して収納、固定され、接続部の処理および絶縁性が確保されている。
また、２つのリード線収納部５ｆはやや離間しており、各接続部の絶縁が図られ、かつその間には、（ｄ）に示すように、連結部５ｈが設けられ、強度が確保されている。
【００２２】
また、支柱５ｃの中央に設けられた補強用のリブ５ｄの両側の下部には、（ｅ）に示すように、取付板５ａにかけてテーパ状の肉厚部５ｇが形成され、強度が確保されている。
【００２３】
また、詳しくは図４（ｂ）に示すように、絶縁カバー本体５ｅの一端部には凹部５ｊを有する突部５ｉが形成されている。これらの部材には、例えば図１に示したように、リード線６をリード線収納部５ｆに挿入した場合、外部に露出した一対のリード線６がフラ付くのを防止するためのもので、凹部５ｊを介しリード線６を束線バンド等（図示せず）で束ねるためのものである。
【００２４】
【発明の効果】
以上のように本発明によれば、ボビンレスコイルタイプのリアクターにおいて、絶縁カバー５に形成されたリード線収納部５ｆを介してコイル１の引出線１ａ、１ｂと各リード線６とを確実に接続して絶縁性を確保できる。
【００２５】
また、絶縁カバー５とコイル１との間に隙間ｇを設けたため、特別耐熱性を有する材料を用いる必要がなく、安価な材料を使用し得る。
【００２６】
さらに、絶縁カバー５は取付金具４の固定爪４ｄを折曲するだけで簡単に取付けることができる。
【００２７】
さらに、また、リアクター本体を含浸後に絶縁カバー５を取付け、配線できるため、リード線６やコネクター７の汚れを防止することができる。なお、リアクター本体に絶縁カバー５を取付けた後に含浸、配線しても良いことは勿論であり、この場合も汚れ防止という同様の利点を奏することができる。
【図面の簡単な説明】
【図１】  本発明の一実施例の斜視図を示す。
【図２】 （ａ）は本発明の一実施例の平面図、（ｂ）は正面図、（ｃ）は右側面図を示す。
【図３】   （ａ）は本発明に用いられる取付金具の平面図、（ｂ）は正面図、（ｃ）は固定爪の側面図を示す。
【図４】  （ａ）は本発明に用いられる絶縁カバーの平面図、（ｂ）は正面図、（ｃ）は底面図、（ｄ）は右側面図、（ｅ）は（ｂ）図中Ｂ−Ｂ線断面図、（ｆ）は（ｂ）図中Ｃ−Ｃ線断面図を示す。
【符号の説明】
１      ボビンレスのコイル
１ａ    巻始め引出線
１ｂ    巻終り引出線
２      コア
２ａ    Ｅ型コア
２ｂ    Ｉ型コア
３      絶縁紙
４      取付金具
４ａ    取付孔
４ｂ    一辺
４ｃ    絶縁カバー取付部
４ｄ    固定爪
４ｄ′  切欠き
５      絶縁カバー
５ａ    取付板
５ｂ    係合部
５ｃ    支柱
５ｄ    リブ
５ｅ    絶縁カバー本体
５ｆ    リード線収納部
６      リード線
７      コネクター
ｇ      隙間
【図１】
0003815706.tif 000002
【図２】
0003815706.tif 000003
【図３】
0003815706.tif 000004
【図４】
0003815706.tif 000005